(57)【要約】【課題】フープの損傷を抑制できると共に、演奏中におけるテンションボルトの緩みや締まりを防止しつつ汎用性を高めることができる打楽器用アタッチメントを提供すること。【解決手段】プレート２０がテンションボルト５によりフープ４に共締めされた状態において、本体部１０の内周面に凸設された規制部３０がフランジ部４ａ及びおねじ部５ａに当接される。これにより、本体部１０及びプレート２０の変位が規制され、上本体部１１が打撃された際にフープ４に発生する応力が低減されるので、フープ４の破損を抑制できる。また、１本のテンションボルト５によりフープ４に共締めされた状態であっても、プレート２０と共にテンションボルト５が軸回りに回転することを回避できるので、汎用性を高めつつ、テンションボルト５の緩みや締まりが発生することを回避できる。【選択図】図４
2014115470.tif 000002
【特許請求の範囲】
【請求項１】
一面側が開口する筒状の胴部と、その胴部の一面側に張設されるヘッドと、そのヘッドの周縁を押さえるフープと、そのフープを介して前記ヘッドに張力を付与する複数のテンションボルトと、そのテンションボルトが螺合されると共に前記胴部に配設される複数のラグとを備える打楽器に対し、着脱可能に装着される打楽器用アタッチメントにおいて、
演奏者により打撃される被打撃部を有する本体部と、その本体部の一側面に張出形成され前記テンションボルトが係止可能に形成される張出部と、その張出部の近傍で前記本体部の一側面に凸設され前記張出部が１本の前記テンションボルトにより前記フープに共締めされた状態において前記打楽器を支持することで前記本体部の変位を規制する規制部とを備えることを特徴とする打楽器用アタッチメント。
【請求項２】
前記規制部は、前記張出部よりも下方に形成されると共に、前記張出部が１本の前記テンションボルトにより前記フープに共締めされた状態において前記テンションボルトに当接されるボルト支持部を備えていることを特徴とする請求項１記載の打楽器用アタッチメント。
【請求項３】
前記ボルト支持部は、前記本体部へ向けて凹設される上面視略Ｕ字状に形成されていることを特徴とする請求項２記載の打楽器用アタッチメント。
【請求項４】
前記ボルト支持部は、前記張出部が１本の前記テンションボルトにより前記フープに共締めされた状態において前記フープの径方向内側へ向けて開口していることを特徴とする請求項３記載の打楽器用アタッチメント。
【請求項５】
前記フープは、その径方向外側へ向けてフランジ状に張出形成されると共に前記テンションボルトが係止可能に形成される複数のフランジ部を備え、
前記規制部は、前記張出部が１本の前記テンションボルトにより前記フープのフランジ部に共締めされた状態において前記テンションボルトを挟んだ周方向両側で前記フランジ部に当接されるフランジ支持部を備えることを特徴とする請求項１から４のいずれかに記載の打楽器用アタッチメント。
【請求項６】
前記規制部は、前記張出部よりも下方に形成されると共に、弾性材料から構成され前記張出部が１本の前記テンションボルトにより前記フープに共締めされた状態において前記テンションボルトに当接される弾性部を有するボルト支持部を備え、
前記フランジ支持部は、弾性材料から構成されると共に前記張出部が前記テンションボルトにより前記フープに共締めされた状態において前記フランジ部に圧接される圧接部を備え、
前記弾性部と前記圧接部とが同一の弾性材料から一体形成されると共に、前記圧接部と前記本体部との間に隙間が形成されていることを特徴とする請求項５記載の打楽器用アタッチメント。
【請求項７】
前記ボルト支持部は、弾性材料から構成されると共に前記張出部が前記テンションボルトにより前記フープに共締めされた状態において前記テンションボルトに当接される弾性部と、その弾性部よりも剛性の高い材料から構成されると共に前記本体部の一側面に凸設される剛性部とを備え、
前記張出部が１本の前記テンションボルトにより前記フープに共締めされた状態において、前記剛性部が前記弾性部を介して前記テンションボルトに支持されることを特徴とする請求項５又は６に記載の打楽器用アタッチメント。
【請求項８】
前記本体部は、前記被打撃部が打撃されたことを検出するセンサを備えていることを特徴とする請求項１から７のいずれかに記載の打楽器用アタッチメント。
【発明の詳細な説明】
【技術分野】
【０００１】
本発明は、打楽器用アタッチメントに関し、特に、フープの損傷を抑制できると共に、演奏中におけるテンションボルトの緩みや締まりを防止しつつ汎用性を高めることができる打楽器用アタッチメントに関するものである。
【背景技術】
【０００２】
アコースティックドラムや電子ドラム等の打楽器に着脱可能に装着される打楽器用アタッチメントが知られている。また、このような打楽器用アタッチメントの中には、演奏者により打撃されたことを検出するセンサを備え、電子打楽器やソングの再生および停止を行うコントローラとして利用されるものがある。
【０００３】
例えば、米国特許第８１７８７６８号には、１本または２本のテンションボルト１によりリム（フープ）に共締めされることでドラム１１に支持される打楽器用アタッチメントが開示されている。
【先行技術文献】
【特許文献】
【０００４】
【特許文献１】米国特許第８１７８７６８号(図１、図４など)
【発明の概要】
【発明が解決しようとする課題】
【０００５】
しかしながら、上述した従来の打楽器用アタッチメントは、テンションボルト１によるリムとの共締め部分だけで打楽器に支持されている。従って、打撃された際にリムに大きな応力が発生するので、リムが損傷しやすいという問題点があった。
【０００６】
また、上述した従来の打楽器用アタッチメントでは、１本のテンションボルト１によりリムに共締めされる場合、打撃された際にテンションボルト１が軸回りに回転しやすく、演奏中にテンションボルトの緩みや締まりが発生するという問題点があった。
【０００７】
一方、上述した従来の打楽器用アタッチメントが２本のテンションボルト１によりリムに共締めされる場合では、テンションボルト１が軸回りに回転することは回避できるものの、装着可能な打楽器が、周方向に隣接するテンションボルト１の間隔やリムの曲率が特定の条件を満たすものに限定されるため、汎用性が低くなるという問題点があった。
【０００８】
本発明は、上述した問題点を解決するためになされたものであり、フープの損傷を抑制できると共に、演奏中におけるテンションボルトの緩みや締まりを防止しつつ汎用性を高めることができる打楽器用アタッチメントを提供することを目的としている。
【課題を解決するための手段および発明の効果】
【０００９】
請求項１記載の打楽器用アタッチメントによれば、本体部の一側面に張出形成された張出部が１本のテンションボルトによりフープに共締めされた状態において、本体部の一側面に凸設された規制部が打楽器に当接されるので、被打撃部への打撃に伴う本体部および張出部の変位を規制部によって規制することができる。これにより、被打撃部が打撃された際にフープに発生する応力を低減させることができるので、フープの破損を抑制できるという効果がある。
【００１０】
また、１本のテンションボルトによりフープに共締めされた状態であっても、被打撃部が打撃された際にテンションボルトが張出部と共に軸回りに回転することを回避できる。よって、汎用性を高めつつ、演奏中にテンションボルトの緩みや締まりが発生することでヘッドの張力が変化することを防止できるという効果がある。
【００１１】
請求項２記載の打楽器用アタッチメントによれば、請求項１記載の打楽器用アタッチメントの奏する効果に加え、１本のテンションボルトによりフープに共締めされた状態において、テンションボルトのうち張出部に係止される部位とラグに螺合される部位との間部分を、張出部の下方に形成されたボルト支持部により支持することができる。これにより、テンションボルトに対する本体部および張出部の変位を規制できる。
【００１２】
テンションボルトはフープ及びラグにより変位が規制されているので、テンションボルトに対する本体部および張出部の変位を規制することで、被打撃部が打撃された際にフープに発生する応力を低減させることができ、その結果、フープの破損を抑制できるという効果がある。
【００１３】
請求項３記載の打楽器用アタッチメントによれば、請求項２記載の打楽器用アタッチメントの奏する効果に加え、ボルト支持部が本体部へ向けて凹設される上面視略Ｕ字状に形成されているので、上面視略円形状に形成された孔にテンションボルトを挿通させることでテンションボルトにボルト支持部を当接させる場合と比べて、打楽器への着脱作業を簡素化することができるという効果がある。
【００１４】
請求項４記載の打楽器用アタッチメントによれば、請求項３記載の打楽器用アタッチメントの奏する効果に加え、張出部が１本のテンションボルトによりフープに共締めされた状態においてフープの径方向内側へ向けて開口しているので、テンションボルトに対する本体部および張出部の変位を確実に規制できる。
【００１５】
即ち、張出部が１本のテンションボルトによりフープに共締めされた状態で本体部の被打撃部が打撃されると、テンションボルトの張出部に係止される部位に対しては、フープから離間する方向、即ち、フープの径方向外方へ変位させようとする力が発生し、張出部の下方でテンションボルトに当接されるボルト支持部に対しては、フープに近接する方向、即ち、フープの径方向内方へ変位させようとする力が発生する。
【００１６】
これに対し、ボルト支持部は、張出部が１本のテンションボルトによりフープに共締めされた状態において、張出部の下方であってテンションボルトのうちフープから離間する方向、即ち、フープの径方向外方に面する部位にボルト支持部を対向させることができる。よって、打楽器用アタッチメントの打楽器への着脱作業を簡素化させつつテンションボルトに対する本体部および張出部の変位を確実に規制できるという効果がある。
【００１７】
請求項５記載の打楽器用アタッチメントによれば、請求項１から４のいずれかに記載の打楽器用アタッチメントの奏する効果に加え、フランジ支持部は、張出部が１本のテンションボルトによりフープのフランジ部に共締めされた状態において、テンションボルトを挟んだフープの周方向両側でフランジ部に当接されるので、本体部の被打撃部が打撃された際に、張出部と共にテンションボルトが軸回りに回転することを規制できる。よって、演奏中にテンションボルトの緩みや締まりが発生することでヘッドの張力が変化することを防止できるという効果がある。
【００１８】
請求項６記載の打楽器用アタッチメントによれば、請求項５記載の打楽器用アタッチメントの奏する効果に加え、弾性部と圧接部とを同一の弾性材料から一体形成することができるので、部品点数を低減させることができるという効果がある。
【００１９】
また、フランジ支持部の圧接部と本体部との間に隙間が形成されているので、その隙間を利用して圧接部を弾性変形しやすくすることができる。よって、弾性部と圧接部とが同一の弾性材料から構成される場合であっても、圧接部を弾性部よりも弾性変形させやすくすることができる。
【００２０】
これにより、弾性部では、圧接部よりも弾性変形しにくくすることで、テンションボルトに対する本体部および張出部の変位に伴う弾性部の弾性変形を抑制できる一方、圧接部では、弾性部よりも弾性変形しやすくすることで、様々な形状のフランジ部に対して圧接部を密着させやすくすることができる。その結果、フープの損傷を防止しつつ、汎用性を高めることができるという効果がある。
【００２１】
請求項７記載の打楽器用アタッチメントによれば、請求項５又は６に記載の打楽器用アタッチメントの奏する効果に加え、張出部が１本のテンションボルトによりフープに共締めされた状態において、弾性部よりも剛性の高い剛性部が弾性部を介してテンションボルトを支持しているので、弾性部を当接させることでテンションボルトのおねじが損傷することを回避しつつ、剛性部により弾性部の弾性変形を規制することでテンションボルトに対する本体部および張出部の変位を確実に規制できるという効果がある。
【００２２】
請求項８記載の打楽器用アタッチメントによれば、請求項１から７のいずれかに記載の打楽器用アタッチメントの奏する効果に加え、本体部は被打撃部が打撃されたことを検出するセンサを備えているので、打楽器用アタッチメントを電子打楽器またはソングの再生または停止を行うコントローラとして利用できるという効果がある。
【図面の簡単な説明】
【００２３】
【図１】本発明の一実施の形態におけるアタッチメントが装着されたドラムの斜視図である。
【図２】（ａ）は、アタッチメントの上面図であり、（ｂ）は、図２（ａ）のＩＩｂ方向から視たアタッチメントの側面図であり、（ｃ）は、図２（ｂ）のＩＩｃ−ＩＩｃ線におけるアタッチメントの部分拡大断面図である。
【図３】（ａ）は、アタッチメントの下面図であり、（ｂ）は、図２（ｂ）のＩＩＩｂ−ＩＩＩｂ線におけるアタッチメントの部分拡大断面図である。
【図４】（ａ）及び（ｂ）は、アタッチメントが装着されたドラムの部分断面図であり、（ｃ）は、図４（ａ）の矢印ＩＶｃ方向から視たドラムの上面図である。
【発明を実施するための形態】
【００２４】
以下、本発明の好ましい実施の形態について添付図面を参照して説明する。まず、図１を参照して、一実施の形態におけるアタッチメント１００が装着されたドラム１の概略構成について説明する。図１は、本発明の一実施の形態におけるアタッチメント１００が装着されたドラム１の斜視図である。
【００２５】
図１に示すように、ドラム１は、演奏者により打撃される電子打楽器であり、一面側が開口する筒状の胴部２と、その胴部２の一面側（図１上側）に張設されるヘッド３と、そのヘッド３の周縁を押さえるフープ４と、フープ４を介してヘッド３に張力を付与するテンションボルト５と、そのテンションボルト５が螺合されると共に胴部２に配設されるラグ６とを主に備えている。
【００２６】
胴部２は、ドラム１の胴体をなす部位であり、一面側および他面側（図１上側および下側）が開口する円筒状のシェル２ａと、そのシェル２ａの他面側（図１下側）を被覆する底部２ｂと、その底部２ｂからシェル２ａの径方向外側へ向けて張出形成される胴部張出部２ｃとを備え、その胴部張出部２ｃがシェル２ａの周方向に沿って等間隔に複数（本実施の形態では６個）配設されている。
【００２７】
ヘッド３は、膜状の打面部３ａと、その打面部３ａの外縁に固定される枠部３ｂ（図４（ａ）参照）とを備えている。打面部３ａは、演奏者により打撃される打面として構成される部位である。枠部３ｂは、フープ４に係止される部位であり、所定の剛性を有する金属材料で構成されている。枠部３ｂは、その内径がシェル２ａの外径よりも大きく設定されており、シェル２ａの一面側に打面部３ａが覆設された状態で、枠部３ｂがシェル２ａの他面側（図１下側）へ向けて押圧されることで、打面部３ａに張力が付与される。
【００２８】
なお、枠部３ｂは、必ずしも金属材料から構成される必要はなく、所定の剛性を有する樹脂材料等から構成されていてもよい。
【００２９】
フープ４は、ヘッド３の枠部３ｂを押圧することで打面部３ａに張力を付与する円環状の部材であり、フープ４の内径がシェル２ａの外径よりも大きく、かつ、枠部３ｂの外径よりも小さく設定されている。また、フープ４は、その径方向外側へ向けて張り出すフランジ部４ａと、そのフランジ部４ａに貫通形成される貫通孔４ｂ（図４（ｂ）参照）とを備え、それらフランジ部４ａ及び貫通孔４ｂがフープ４の周方向に沿って等間隔に複数（本実施の形態では６個）配設されている。なお、周方向に隣接するフランジ部４ａの間隔は、周方向に隣接する胴部２の胴部張出部２ｃと同等に設定されている。
【００３０】
テンションボルト５は、おねじが形成されるおねじ部５ａと、そのおねじ部５ａの軸方向一側（図１上側）に連設される頭部５ｂと、それらおねじ部５ａ及び頭部５ｂの連設部分にフランジ状に張出形成される係合部５ｃとを備えている。
【００３１】
なお、フープ４の貫通孔４ｂの内径は、おねじ部５ａの外径よりも大きく、かつ、係合部５ｃの外径よりも小さく設定されており、フランジ部５ａの上面側から貫通孔４ｂにおねじ部５ａを挿通させることで、係合部５ｃがフランジ部４ａの上面に係止される。
【００３２】
ラグ６は、テンションボルト５のおねじ部５ａに形成されたおねじが螺合可能なめねじを有する円柱状の部材であり、胴部２のシェル２ａの外周面から離れた位置で胴部張出部２ｃに立設されている。なお、周方向に隣接するラグ６の間隔は、周方向に隣接するフープ４の貫通孔４ｂ（図４（ｂ）参照）と同等に設定されている。
【００３３】
なお、本実施の形態では、ラグ６がシェル２ａの外周面から離れた位置で胴部張出部２ｃに立設されているが、胴部張出部２ｃを省略すると共にラグ６をシェル２ａの外周面に固着してもよい。
【００３４】
打楽器１は、テンションボルト５の係合部５ｃがフープ４のフランジ部４ａに係止された状態で、テンションボルト５のおねじ部５ａをラグ６に螺合させることでフープ４を介してヘッド３の枠部３ｂ（図４（ｂ）参照）が胴部２の他面側へ向けて押圧され、ヘッド３の打面部３ａに張力が付与される。演奏者は、ラグ６に対するテンションボルト５の締付量を調整することにより、打面部３ａに付与される張力を演奏者の好みに応じた張力に設定することができる。
【００３５】
アタッチメント１００は、ドラム１に着脱可能に装着されると共に演奏者により打撃される電子打楽器である。アタッチメント１００は、振動を検出するセンサ（図示せず）と、そのセンサに電気的に接続されるジャック１００ａとを備えており、そのジャック１００ａと音源装置（図示せず）とが接続ケーブル（図示せず）を介して電気的に接続されている。アタッチメント１００が打撃されると、そのアタッチメント１００の振動をセンサが検出し、その検出信号がジャック１００ａから接続ケーブルを介して音源装置に出力され、音源装置が検出信号に基づいて楽音を生成する。
【００３６】
次に、図２及び図３を参照して、アタッチメント１００の外観形状について詳細に説明する。図２（ａ）は、アタッチメント１００の上面図であり、図２（ｂ）は、図２（ａ）のＩＩｂ方向から視たアタッチメント１００の側面図であり、図２（ｃ）は、図２（ｂ）のＩＩｃ−ＩＩｃ線におけるアタッチメント１００の部分拡大断面図である。図３（ａ）は、アタッチメント１００の下面図であり、図３（ｂ）は、図２（ｂ）のＩＩＩｂ−ＩＩＩｂ方向におけるアタッチメント１００の部分拡大断面図である。なお、図面を簡素化して理解を容易とするため、図２（ｃ）では、本体部１０の一部を省略して図示し、図３（ｂ）では、本体部１０の図示を省略している。
【００３７】
図２及び図３に示すように、アタッチメント１００は、円弧状に湾曲した棒状の本体部１０と、その本体部１０の内周面（図２（ａ）下側の面）から径方向内方（図２（ａ）下方）へ向けて張出形成されるプレート２０と、そのプレート２０の近傍で本体部１０の内周面から径方向内方へ向けて凸設される規制部３０とを主に備えて構成されている。
【００３８】
本体部１０は、アタッチメント１００の本体部分をなす部位であり、本体部１０の上側部分を構成する上本体部１１と、その上本体部１１の下面に連結されると共に本体部１０の下側部分を構成する下本体部１２とを備えている。
【００３９】
上本体部１１は、演奏者により打撃される部位であり、ゴム材料から構成されている。下本体部１２は、樹脂材料から構成される部位であり、下本体部１２の長手方向一端側（図２（ａ）左側）にジャック１００ａが配設されている。
【００４０】
なお、本実施の形態では、上本体部１１がゴム材料から構成されているが、他の材料、例えば、エラストマーや発泡剤から構成されていてもよい。また、本実施の形態では、下本体部１２が樹脂材料から構成されているが、他の材料、例えば、薄い鉄板やアルミ等から構成されていてもよい。
【００４１】
プレート２０は、テンションボルト５によりフープ４のフランジ部４ａに共締めされる部位であり（図４（ｂ）参照）、板状の金属材料から構成されている。プレート２０には、テンションボルト５のおねじ部５ａの外径よりも大きく、かつ、係合部５ｃの外径よりも小さな内径に設定された係止孔２０ａが形成されており、その係止孔２０ａにテンションボルト５の軸部５ａを挿通させることで、係合部５ｃがプレート２０に係止される（図４（ｂ）参照）。
【００４２】
規制部３０は、ドラム１（図１参照）に対する本体部１０及びプレート２０の変位を規制する部位であり、フープ４のフランジ部４ａ（図４（ｂ）参照）を支持するフランジ支持部４０と、テンションボルト５のおねじ部５ａ（図４（ｂ）参照）を支持するボルト支持部５０とを備えている。
【００４３】
フランジ支持部４０は、弾性材料から構成される部位であり、本体部１０の内周面（図２（ｃ）左側の面）から径方向内方（図２（ｃ）左側）へ向けて凸設されると共に本体部１０の周方向に所定の間隔をおいて配設される一対の凸設部４１と、それら一対の凸設部４１の間に連設されると共に本体部１０の径方向外方（図２（ｃ）右側）へ向けて凹設される連設部４２とを備えている。
【００４４】
凸設部４１は、フープ４のフランジ部４ａ（図４（ｃ）参照）を支持する部位であり、凸設部４１の凸設方向（図３（ｂ）下方向）先端部分に形成される圧接部４１ａを備えている。圧接部４１ａは、フランジ部４ａに圧接される部位であり、本体部１０との間に隙間Ｓが形成されている。また、連設部４２が本体部１０の径方向外方へ向けて凹設されることで、プレート２０と一対の凸設部４１とにより包囲された空間にフランジ部４ａを収容することができる。
【００４５】
ボルト支持部５０は、本体部１０の内周面（図３（ａ）上側の面）に凸設される剛性部５１と、その剛性部５１の凸設方向（図３（ａ）上方向）先端部分に覆設される弾性部５２とを備えている。
【００４６】
剛性部５１は、テンションボルト５（図４（ａ）参照）に対する本体部１０及びプレート２０の変位を規制する部位であり、所定の剛性を有する金属材料から構成されている。剛性部５１は、その凸設方向先端部分に凹設されると共に凹設底面が円弧状に形成された上面視略Ｕ字状の凹設部５１ａを備えている。
【００４７】
凹設部５１ａは、その円弧状部分がプレート２０の係止孔２０ａと同心となるように形成されると共に、円弧状部分の内径がテンションボルト５のおねじ部５ａ（図４（ａ）参照）の外径よりも大きく設定されている。
【００４８】
なお、剛性部５１は、プレート２０と同一の金属材料から一体形成されており、それら剛性部５１とプレート２０とを連設する部位が本体部１０の内部に収容された状態で上本体部１１及び下本体部１２に固定されている。これにより、剛性部５１とプレート２０とを別個に形成する場合と比べて、部品点数を減らすことができると共に、剛性部５１の凹設部５１ａとプレート２０の係止孔２０ａとの位置合わせを不要にすることができるので、アタッチメント１００の製造効率を向上させることができる。
【００４９】
弾性部５２は、テンションボルト５のおねじ部（図４（ａ）参照）に当接される部位であり、剛性部５１よりも剛性の低い弾性材料から構成されている。弾性部５２は、剛性部５１の凹設部５１ａの形状に倣った上面視略Ｕ字状に凹設されており、弾性部５２の円弧状部分がプレート２０の係止孔２０ａと同心となるように形成されると共に、円弧状部分の内径がテンションボルト５のおねじ部５ａの外径よりも小さく設定されている。
【００５０】
なお、弾性部５２は、フランジ支持部４０と同一の弾性材料から一体形成されている。これにより、部品点数を少なくすることができる。また、フランジ部４０の圧接部４１ａと本体部１０との間に隙間Ｓが形成されているので、その隙間Ｓを利用して圧接部４１ａを弾性変形させやすくすることができる。よって、フランジ支持部４０と弾性部５２とが同一の弾性材料から構成されていたとしても、圧接部４１ａを弾性部５２よりも弾性変形しやすくすることができる。
【００５１】
次に、図４を参照して、ドラム１に対するアタッチメント１００の装着状態について説明する。図４（ａ）及び図４（ｂ）は、アタッチメント１００が装着されたドラム１の部分断面図であり、図４（ｃ）は、図４（ａ）のＩＶｃ方向から視たドラム１の上面図である。なお、図４（ａ）及び図４（ｂ）は、アタッチメント１００をフープ４に共締めするテンションボルト５の軸心とフープ４の軸心とを含む平面に沿った断面を図示しており、図４（ｂ）では、図４（ａ）の一部を更に拡大して図示している。また、図面を簡素化して理解を容易とするため、図４（ａ）及び図４（ｂ）では、本体部１０の一部を省略して図示すると共に、図４（ｃ）では、プレート２０の一部を省略して図示している。
【００５２】
図４に示すように、アタッチメント１００をドラム１に装着する際には、プレート２０をフープ４のフランジ部４ａの上面に重ねた状態で、プレート２０の係止孔２０ａ及びフープ４の貫通孔４ｂにテンションボルト５のおねじ部５ａを挿通させ、おねじ部５ａをラグ６に螺入する。このとき、規制部３０は、フランジ支持部４０の圧接部４１ａがフランジ部４ａに圧接され、ボルト支持部５０の弾性部５２がテンションボルト５のおねじ部５ａに当接されている。
【００５３】
おねじ部５ａがラグ６に螺入されるにつれて、テンションボルト５の係合部５ｃがプレート２０に係止され、係合部５ｃがプレート２０及びフープ４を介してヘッド３の枠部３ｂをシェル２ａの他面側（図４（ａ））へ向けて押圧する。演奏者は、ラグ６に対するテンションボルト５の締付量を調整することで、ヘッド打面部３ａの張力を演奏者の好みに応じた張力に設定する。このとき、プレート２０がテンションボルト５によりフランジ部４ａに共締めされ、アタッチメント１００がドラム１に装着される。
【００５４】
アタッチメント１００は、ボルト支持部５０の剛性部５１及び弾性部５２が本体部１０の径方向外方（図４（ａ）右側）へ向けて凹設されることで、ボルト支持部５０は本体部１０の径方向内方（図４（ａ）左側）へ向けて開口している。よって、ボルト支持部に上面視略円形状の孔が形成され、その孔にテンションボルト５のおねじ部５ａを挿通させることでおねじ部５ａにボルト支持部を当接させる場合と比べて、ドラム１に対するアタッチメント１００の着脱作業を簡素化することができる。
【００５５】
ここで、様々な打楽器に使用されるフープの中には、フランジ部の上面が径方向外方へ向けて下降傾斜しているものがある。この場合、プレート２０をフランジ部の上面に重ねた状態でプレート２０がフランジ部に共締めされると、プレート２０及び本体部１０がフープの径方向外方へ向けて下降傾斜した状態で打楽器に装着される。
【００５６】
これに対し、アタッチメント１００では、剛性部５１の凹設部５１ａ及び弾性部５２の円弧状部分が、プレート２０の係止孔２０ａと同心となるように形成されているので、プレート２０ａをテンションボルト５の軸心に対して垂直に装着することができる。テンションボルト５は、ラグ６に螺合されることでテンションボルト５の軸心をフープ４の軸心方向に一致させることができるので、プレート２０をテンションボルト５の軸心に対して垂直に装着することで、仮に、フランジ部の上面が径方向外方へ向けて下降傾斜している場合であっても、プレート２０及び本体部１０をフープ４の径方向に沿って水平に装着することができる。
【００５７】
規制部３０のフランジ支持部４０は、圧接部４１ａがテンションボルト５を挟んだフープ４の周方向両側でフランジ部４ａに圧接されているので、本体部１０の上本体部１１が打撃された際に、本体部１０及びプレート２０と共にテンションボルト５が軸回りに回転することを規制できる。その結果、演奏中にテンションボルト５の緩みや締まりが発生することでヘッド３の打面部３ａの張力が変化することを防止できると共に、テンションボルト５が緩んで本体部１０がガタつくことを防止できる。
【００５８】
また、圧接部４１ａは、プレート２０の下方でフランジ部４ａに圧接されているので、本体部１０の上本体部１１への打撃に伴って上本体部１１がフープ４から離間する方向へ変位することを規制できる。よって、上本体部１１が打撃された際にフランジ部４ａに発生する応力を低減させることができるので、フープ４の破損を抑制できる。
【００５９】
ここで、仮に、規制部が胴部のシェルに当接させる構成である場合、テンションボルトとシェルの外周面との離間寸法に応じて本体部１０の内周面からの規制部の凸設寸法を設定する必要がある。しかしながら、シェルの外周面とテンションボルトとの離間寸法は、打楽器の全体形状により様々であるため、アタッチメントの汎用性が低くなる。
【００６０】
一方、フープのフランジ部とテンションボルトとの離間寸法は、シェルの外周面とテンションボルトとの離間寸法よりも小さく、フープの曲率が異なる場合や打楽器全体の形状が異なる場合であっても、フランジ部の形状の違いは比較的少ない。
【００６１】
従って、規制部３０が、フランジ支持部４０をフランジ部４ａに当接させる構成とすることで、シェル２ａに当接させる構成とする場合と比べて、アタッチメント１００の汎用性を高めることができる。
【００６２】
規制部３０は、プレート２０がテンションボルト５によりフープ４に共締めされた状態において、プレート２０の下方に形成されたボルト支持部５０が、テンションボルト５のおねじ部５ａのうち、プレート２０に係止される部位とラグ６に螺合される部位との間部分を支持する。
【００６３】
ここで、本体部１０の上本体部１１が打撃されると、本体部１０及びプレート２０に対しては、フープ４から離間する方向（フープ４の径方向外方、図４（ａ）右側）へ変位させようとする力が発生し、プレート２０の下方におねじ部５ａに当接されるボルト支持部５０に対しては、フープ４に近接する方向（フープ４の径方向内方、図４（ａ）左側）へ変位させようとする力が発生する。
【００６４】
これに対し、ボルト支持部５０は、本体部１０の径方向外方（図４（ａ）右側）へ向けて凹設される上面視略Ｕ字状に形成されているので、テンションボルト５のうちフープ４の径方向外方に面する部位にボルト支持部５０を対向させることができる。従って、上本体部１１が打撃されてボルト支持部５０をフープ４の径方向外方へ変位させようとする力が発生した場合には、ボルト支持部５０をおねじ部５ａに当接させることができる。よって、アタッチメント１００のドラム１への着脱作業を簡素化させつつ、テンションボルト５に対する本体部１０及びプレート２０の変位を確実に規制できる。
【００６５】
テンションボルト５は、係合部５ｃがフープ４に係止されると共にラグ６に螺合されることで変位が規制されているので、テンションボルト５に対する本体部１０及びプレート２０の変位を規制できる。よって、本体部１０の上本体部１１が打撃された際にフープ４に発生する応力を低減させることができるので、フープ４の破損を抑制できる。
【００６６】
また、規制部３０のボルト支持部５０は、弾性部５２がテンションボルト５のおねじ部５ａに当接され、弾性部５２の円弧状部分は、プレート２０の係止孔２０ａと同心になるように形成されると共に、弾性部５２の円弧状部分の内径がテンションボルト５のおねじ部５ａの外径よりも小さく形成されている。
【００６７】
よって、おねじ部５ａの損傷を防止できる。また、弾性部５２の円弧状に形成される凹設底面全体をおねじ部５ａに当接させることができるので、演奏中にテンションボルト５が軸回りに回転することを防止して、テンションボルト５の緩みや締まりをより確実に回避することができる。また、弾性材料から構成される弾性部５２をおねじ部５ａに当接させることにより、使用可能なテンションボルト５の外径に幅を持たせることができるので、アタッチメント１００の汎用性を高めることができる。
【００６８】
さらに、ボルト支持部５０は、弾性部５２よりも剛性が高い剛性部５１が弾性部５２を介してテンションボルト５のおねじ部５ａを支持しているので、テンションボルト５に対する本体部１０及びプレート２０の変位を確実に規制できる。
【００６９】
即ち、仮に、ボルト支持部５０が弾性の高い材料のみで構成される場合、本体部１０の上本体部１１が打撃され、テンションボルト５に対して本体部１０を変位させようとする力が発生すると、その力によりボルト支持部５０が弾性変形しやすく、本体部１０の変位を十分に規制できない。一方、剛性の高い材料のみで構成される場合では、本体部１０の変位は規制できるものの、おねじ部５ａに形成されたおねじが損傷しやすくなると共に、使用可能なテンションボルト５の外径が限定的となり、汎用性が低くなる。
【００７０】
これに対し、弾性部５２よりも剛性が高い剛性部５１が弾性部５２を介してテンションボルト５のおねじ部５ａを支持することで、剛性部５１により弾性部５２の弾性変形を規制しつつ、おねじ部５ａの損傷を回避できる。
【００７１】
また、フランジ支持部４０は、凸設部４１の圧接部４１ａと本体部１０との間に隙間Ｓを設けることで、圧接部４１ａが弾性部５２よりも弾性変形しやすくなっている。よって、弾性部５２では、圧接部４１ａよりも弾性変形しにくくすることで、テンションボルト５に対する本体部１０及びプレート２０の変位に伴う弾性部５２の弾性変形を抑制できる一方、圧接部４１ａでは、弾性部５２よりも弾性変形しやすくすることで、様々な形状のフランジ部に対して圧接部４１ａを密着させやすくすることができる。その結果、テンションボルト５及びフープ４の損傷を防止しつつ、アタッチメント１００の汎用性を高めることができる。
【００７２】
以上説明したように、アタッチメント１００は、プレート２０が１本のテンションボルト５によりフープ４に共締めされた状態において、本体部１０の内周面に凸設された規制部３０をフランジ部４ａ及びおねじ部５ａに当接させることで、本体部１０の上本体部１１への打撃に伴う本体部１０及びプレート２０の変位を規制部３０によって規制することができる。これにより、上本体部１１が打撃された際にフープ４に発生する応力を低減させることができるので、フープ４の破損を抑制できる。
【００７３】
また、１本のテンションボルト５によりフープ４に共締めしつつ、上本体部１１が打撃された際にプレート２０と共にテンションボルト５が軸回りに回転することを回避できる。よって、２本のテンションボルト５によりフープ４に共締めされる場合と比べて、アタッチメント１００の汎用性を高めることができると共に、テンションボルト５の緩みや締まりが発生することを回避して、演奏中にヘッド３の打面部３ａの張力が変化することを防止できる。
【００７４】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。
【００７５】
例えば、上記実施の形態では、アタッチメント１００が電子打楽器に装着される場合について説明したが、必ずしもこれに限られるものではなく、アタッチメント１００をアコースティックの打楽器に装着してもよい。
【００７６】
上記実施の形態では、アタッチメント１００が上本体部１１が打撃されたことを検出するセンサを備える電子打楽器として利用される場合について説明したが、必ずしもこれに限られるものではなく、アタッチメント１００が打撃されたことをセンサが検出することでソングの再生および停止を行うコントローラとして使用してもよく、センサを省略して上本体部が打撃されることで打撃音が発生するいわゆるアコースティックの打楽器として使用してもよい。この場合、上本体部を金属材料や木材等から構成したり、上本体部の形状や大きさ等を適宜変更することで、上本体部が打撃された際に発生する打撃音を変更することができる。
【００７７】
上記実施の形態では、本体部１０が円弧状に湾曲して形成される場合について説明したが、必ずしもこれに限られるものではなく、他の形状、例えば、直線状に形成されていてもよい。
【００７８】
上記実施の形態では、規制部３０がフープ４のフランジ部４ａに当接されるフランジ支持部４０と、テンションボルト５のおねじ部５ａに当接されるボルト支持部５０とを備える場合について説明したが、必ずしもこれに限られるものではなく、規制部３０がフランジ支持部４０又はボルト支持部５０のいずれか一方のみを備えていてもよい。これにより、アタッチメント１００の構造を簡素化して製品コストを削減できる。
【００７９】
また、規制部３０が、胴部２のシェル２ａの外周面に当接されるシェル支持部を備えていてもよい。このシェル支持部は、例えば、フランジ支持部４０と同様にゴム材料等から構成され、プレート２０がテンションボルト５によりフープ４に共締めされた状態において、シェル２ａに当接可能な高さ位置において本体部１０の内周面側からシェル２ａの外周面に対して当接可能に張出形成されるものなどが例示される。
【００８０】
この場合、アタッチメントが装着される打楽器の形状に合わせてシェル支持部の張出方向への長さを変更可能な構成としてもよい。例えば、シェル支持部に対してボルト等により着脱可能に形成された部材をシェル支持部に取り付け、その部材を介してシェル支持部がシェル２ａを支持する構成としてもよい。また、シェル支持部自体をボルト等により本体部１０の内周面に対して着脱可能に構成し、アタッチメントが装着される打楽器の慶応に合わせたシェル支持部の形状を取り付けてもよい。
【００８１】
なお、上記したシェル支持部は、フランジ支持部４０又はボルト支持部５０の代わりに設けてもよく、フランジ支持部４０又はボルト支持部５０と併用してもよい。
【００８２】
上記実施の形態では、フランジ支持部４０とボルト支持部５０の弾性部５２とが同一の弾性材料から一体形成される場合について説明したが、必ずしもこれに限られるものではなく、フランジ支持部４０と弾性部５２とが別個に形成されていてもよく、弾性の異なる弾性材料から構成してもよい。これにより、フランジ支持部４０及び弾性部５２の弾性をより自由に設定することができる。
【００８３】
上記実施の形態では、プレート２０とボルト支持部５０の剛性部５１とが同一の金属材料から一体的に形成される場合について説明したが、必ずしもこれに限られるものではなく、プレート２０とボルト支持部５０とが別個に形成されていてもよく、別の材料から構成されていてもよい。なお、剛性部５１は、少なくとも弾性部５２よりも剛性の高い材料から構成されていればよく、金属材料以外の材料、例えば、ＡＢＳ等の樹脂材料から構成されていてもよい。
【００８４】
また、上記実施の形態では、本体部１０の内周面から張出形成された板状のプレート２０が１本のテンションボルト５によりフープ４に共締めされる場合について説明したが、必ずしもこれに限られるものではなく、板状のプレート２０の代わりに、テンションボルト５のおねじ部５ａの外径よりも大きく、かつ、係合部５ｃの外径よりも小さな内径に設定されると共に、おねじ部５ａの挿通方向（図４（ｂ）上下方向）において所定の高さ寸法を有する筒状の部材を本体部１０の内周面から張出形成し、その筒状の部材を１本のテンションボルト５によりフープ４に共締めしてもよい。
【００８５】
これにより、板状に形成されたプレート２０と比べ、筒状の部材がテンションボルト５のおねじ部５ａに当接した場合の当接面積を広く確保できる。従って、上本体部１１が打撃されて本体部１０に対してフープ４から離間する方向へ変位させようとする力が発生した際に、筒状の部材を介しておねじ部５ａに作用する力を分散させることができるので、テンションボルト５の損傷を回避しやすくすることができる。
【００８６】
上記実施の形態では、ボルト支持部５０が剛性部５１とその剛性部５１よりも弾性が高い弾性部５２とを備える場合について説明したが、必ずしもこれに限られるものではなく、ボルト支持部５０が剛性部５１又は弾性部５２のいずれか一方のみから構成されていてもよい。これにより、ボルト支持部５０の構造を簡素化して、製品コストを低減させることができる。なお、この場合、剛性部５１の凹設部５１ａの内径をテンションボルト５のおねじ部５ａの外径と略同一とすることで、テンションボルト５に対する本体部１０及びプレート２０の変位を確実に規制することができる。
【００８７】
上記実施の形態では、ボルト支持部５０が上面視略Ｕ字状に形成される場合について説明したが、必ずしもこれに限られるものではなく、ボルト支持部が上面視略Ｖ字状または上面視略コ字状に形成されていてもよく、テンションボルト５のおねじ部５ａが挿通可能な上面視略円形状の孔を有し、その孔におねじ部５ａを挿通させることでおねじ部５ａにボルト支持部を当接させてもよい。
【００８８】
ボルト支持部を上面視略Ｖ字状に形成することで、テンションボルト５のおねじ部５ａの外周面に対して２箇所でボルト支持部を当接させることができるので、当接可能なおねじ部５ａの外径に幅を持たせることができる。よって、アタッチメントの汎用性を高めることができる。また、ボルト支持部が上面視略円形状の孔を有し、その孔におねじ部５ａを挿通させることで、おねじ部５ａの外周面全体にボルト支持部を対向させることができるので、テンションボルト５に対する本体部１０及びプレート２０の変位を確実に規制することができる。
【００８９】
上記実施の形態では、フランジ支持部４０が、プレート２０よりも下方に形成され、プレート２０の下方でフープ４のフランジ部４ａに当接される場合について説明したが、必ずしもこれに限られるものではなく、フランジ支持部４０がプレート２０よりも上方に形成され、プレート２０の上方でフランジ部４ａに当接されていてもよい。
【００９０】
上記実施の形態では、プレート２０がテンションボルト５によりフープ４に共締めされた状態において、フランジ支持部４０がフープ４のフランジ部４ａに当接される場合について説明したが、必ずしもこれに限られるものではなく、フープ４のフランジ部４ａ以外の部分、即ち、隣接するフランジ部４ａの間に形成される円弧状部分の外周面にフランジ支持部を当接させてもよい。
【００９１】
上記実施の形態では、フープ４のフランジ部４ａの上面にプレート２０を重ねた状態で、プレート２０をテンションボルト５によりフープ４に共締めする場合について説明したが、必ずしもこれに限られるものではなく、フランジ部４ａとプレート２０との間に、エラストマー等のプレート２０及びフープ４を構成する金属材料よりも剛性の低い材料から構成されるスペーサを挟んだ状態でプレート２０をテンションボルト５によりフープ４に共締めしてもよい。これにより、金属材料同士の接触による金属疲労により、フープ４が破損しやすくなることを防止できると共にフランジ部４ａに対するプレート２０のガタつきによりテンションボルト５が緩みやすくなることを防止できる。
【符号の説明】
【００９２】
１                      ドラム（打楽器）
２                      胴部
３                      ヘッド
４                      フープ
４ａ                    フランジ部
５                      テンションボルト
６                      ラグ
１００                  アタッチメント（打楽器用アタッチメント）
１０                    本体部
１１                    上本体部（被打撃部）
２０                    プレート（張出部）
２０ａ                  係止孔
３０                    規制部
４０                    フランジ支持部
４１ａ                  圧接部
５０                    ボルト支持部
５１                    剛性部
５２                    弾性部
【図１】
2014115470.tif 000003
【図２】
2014115470.tif 000004
【図３】
2014115470.tif 000005
【図４】
2014115470.tif 000006